(57)【要約】      （修正有）【課題】フロントグリルに専用の取付用開口を形成しなくても、またフロントグリルの経線フレームの間隔の大小に拘わらずフロントグリルにカメラ等の電装品を後付で装着できる電装品の取付具及び取付装置を提供すること。【解決手段】一対の突出片１０ｂ，１０ｃでフロントグリルの車幅方向に延びる経線フレーム１０１を挟み、止めネジ１２で両突出片１０ｂ，１０ｃを経線フレーム１０１に締め付けて固定する。カメラ１１を後付でフロントグリルに取り付けるとき、カメラ１１の取付用開口をフロントグリルに形成しなくてもカメラ１１をフロントグリルに後付けで（工場出荷時ではなく）装着できる。両突出片１０ｂ，１０ｃで一本の経線フレーム１０１を挟むことにより取付具１０を経線フレーム１０１に固定するので、上下に隣接する経線フレーム１０１の間隔の長短に拘わらず、カメラ１１をフロントグリルに装着できる。【選択図】図６
2018020717.tif 000002
【特許請求の範囲】
【請求項１】
電装品を車両のフロントグリルに装着する電装品の取付具であって、
電装品が固定されるベースと、ベースに一体に設けられた一対の突出片と、一方の突出片を貫通する止めネジを備え、
一対の突出片でフロントグリルの車幅方向に延びる一本の経線フレームを挟み、止めネジで両突出片を経線フレームに締め付けて固定するようにしたことを特徴とする電装品の取付具。
【請求項２】
前記両突出片のうち他方の突出片の内面に内側湾曲面を形成し、
両突出片を経線フレームに締め付けたとき、内側湾曲面の基端部と先端部が経線フレームの一方の面に当接し、止めネジの先端部が経線フレームの他方の面に当接する位置が内側湾曲面の基端部と先端部の中間位置となるようにしたことを特徴とする請求項１に記載の電装品の取付具。
【請求項３】
前記両突出片のうち他方の突出片の先端部の内側に先端が尖った突起を設けたことを特徴とする請求項１に記載の電装品の取付具。
【請求項４】
電装品を車両のフロントグリルに装着する電装品の取付装置であって、
電装品が固定されるベースと、ベースに一体に設けられた一対の突出片と、一方の突出片を貫通する止めネジを備え、一対の突出片でフロントグリルの車幅方向に延びる一本の経線フレームを挟み、止めネジで両突出片を経線フレームに締め付けて固定するようにした２個の取付具と、
底面の一端に１個の丸穴を形成し、他端に１個の長穴を形成したケーシングと、
ケーシングに格納した電装品を備え、
前記丸穴を貫通するネジで一方の取付具のベースを回転可能にケーシングの底面に組み付け、
前記長穴を貫通するネジで他方の取付具のベースを回転可能に、かつ長穴に沿って摺動可能にケーシングの底面に組み付けたことを特徴とする電装品の取付装置。
【請求項５】
前記両突出片のうち他方の突出片の内面に内側湾曲面を形成し、
両突出片を経線フレームに締め付けたとき、内側湾曲面の基端部と先端部が経線フレームの一方の面に当接し、止めネジの先端部が経線フレームの他方の面に当接する位置が内側湾曲面の基端部と先端部の中間位置となるようにしたことを特徴とする請求項４に記載の電装品の取付具。
【請求項６】
前記両突出片のうち他方の突出片の先端部の内側に先端が尖った突起を設けたことを特徴とする請求項４に記載の電装品の取付具。
【発明の詳細な説明】
【技術分野】
【０００１】
本発明は電装品の取付具及び取付装置に関し、より詳しくは車のフロントグリルにカメラ、照明器、超音波近接センサー、加速度センサー、レーダーセンサー、赤外センサー、熱センサー等の各種電装品を後付けで装着するに好適な電装品の取付具及び取付装置に関する。
【背景技術】
【０００２】
特開２００５−２７１７１５号公報にはフロントグリルにカメラを取り付ける取付具が開示されている。このフロントグリルには車幅方向に延びる経線フレームと、経線フレームに直交する緯線フレームとの交差部付近に取付用開口が形成されている。カメラの取付具は第１の支持体と第２の支持体から成り、カメラが両支持体の間に格納される。カメラを格納した両支持体は取付用開口に挿入され、第１の支持体がフロントグリルの経線フレームにネジで締め付け固定される。そして、第１の支持体に第２の支持体がネジで締め付けて結合される。
【０００３】
また、特開２０１４−１３６４３１号公報にもフロントグリルにカメラを取り付ける取付具が開示されている。このカメラの取付具はカメラの前部を覆う前部カバーとカメラの後部を覆う後部カバーを備えている。そして、前部カバーと後部カバーが上下に隣接する経線フレームの間に装着され、ネジで上下の経線フレームに締め付けて固定される。
【先行技術文献】
【特許文献】
【０００４】
【特許文献１】特開２００５−２７１７１５号公報
【特許文献２】特開２０１４−１３６４３１号公報
【発明の概要】
【発明が解決しようとする課題】
【０００５】
特開２００５−２７１７１５号公報に開示されているカメラの取付具は、カメラをフロントグリルに装着するため、取り付けるカメラの大きさに適合した所定サイズの取付用開口をフロントグリルに形成する必要があり、取付用開口が形成されていないフロントグリルにはカメラを装着できない。
【０００６】
特開２０１４−１３６４３１号公報に開示されているカメラの取付具では、上下に隣接する経線フレームに前部カバーと後部カバーをねじで締め付けて固定するので、両カバーが上下に隣接する経線フレームの間隔に適したサイズに成型されている。そのため、上下に隣接する経線フレームの間隔が異なる他のフロントグリルには両カバーを用いてカメラを装着することはできない。
【０００７】
本発明はかかる問題点に鑑み、フロントグリルに専用の取付用開口が形成されていなくても、またフロントグリルの経線フレームの間隔の大小に拘わらずフロントグリルにカメラ等の電装品を後付で装着できる電装品の取付具及び取付け装置を提供することを目的とする。
【課題を解決するための手段】
【０００８】
請求項１に記載の発明は、
電装品を車両のフロントグリルに装着する電装品の取付具であって、
電装品が固定されるベースと、ベースに一体に設けられた一対の突出片と、一方の突出片を貫通する止めネジを備え、
一対の突出片でフロントグリルの車幅方向に延びる一本の経線フレームを挟み、止めネジで両突出片を経線フレームに締め付けて固定するようにしたことを特徴とする。
【０００９】
請求項２に記載の発明は、請求項１に記載の電装品の取付具において、
前記両突出片のうち他方の突出片の内面に内側湾曲面を形成し、
両突出片を経線フレームに締め付けたとき、内側湾曲面の基端部と先端部が経線フレームの一方の面に当接し、止めネジの先端部が経線フレームの他方の面に当接する位置が内側湾曲面の基端部と先端部の中間位置となるようにしたことを特徴とする。
【００１０】
請求項３に記載の発明は、請求項１に記載の電装品の取付具において、
前記両突出片のうち他方の突出片の先端部の内側に先端が尖った突起を設けたことを特徴とする。
【００１１】
請求項４に記載の発明は、電装品の取付装置において、
電装品を車両のフロントグリルに装着する電装品の取付装置であって、
電装品が固定されるベースと、ベースに一体に設けられた一対の突出片と、一方の突出片を貫通する止めネジを備え、一対の突出片でフロントグリルの車幅方向に延びる一本の経線フレームを挟み、止めネジで両突出片を経線フレームに締め付けて固定するようにした２個の取付具と、
底面の一端に１個の丸穴を形成し、他端に１個の長穴を形成したケーシングと、
ケーシングに格納した電装品を備え、
前記丸穴を貫通するネジで一方の取付具のベースを回転可能にケーシングの底面に組み付け、
前記長穴を貫通するネジで他方の取付具のベースを回転可能に、かつ長穴に沿って摺動可能にケーシングの底面に組み付けたことを特徴とする。
【００１２】
請求項５に記載の発明は、請求項４に記載の電装品の取付具において、
前記両突出片のうち他方の突出片の内面に内側湾曲面を形成し、
両突出片を経線フレームに締め付けたとき、内側湾曲面の基端部と先端部が経線フレームの一方の面に当接し、止めネジの先端部が経線フレームの他方の面に当接する位置が内側湾曲面の基端部と先端部の中間位置となるようにしたことを特徴とする。
【００１３】
請求項６に記載の発明は、請求項４に記載の発明において、
前記両突出片のうち他方の突出片の先端部の内側に先端が尖った突起を設けたことを特徴とする。
【発明の効果】
【００１４】
請求項１に記載の発明によれば、一対の突出片でフロントグリルの車幅方向に延びる経線フレームを挟み、止めネジで両突出片を経線フレームに締め付けて固定するので、電装品の取付用開口がフロントグリルに形成されていなくても、照明器、カメラ、超音波近接センサー、加速度センサー、レーダーセンサー、赤外センサー、熱センサー等の各種電装品を後付で（工場出荷時でなく）フロントグリルに取り付けることができる。
とりわけ、両突出片で一本の経線フレームを挟むことにより取付具を経線フレームに固定するので、上下に隣接する経線フレームの間隔の長短に拘わらず、電装品をフロントグリルに装着できる。
【００１５】
請求項２及び請求項５に記載の発明によれば、内側湾曲面の基端部と先端部が経線フレームの一方の面に当接し、止めネジの先端部が経線フレームの他方の面に当接する位置が内側湾曲面の基端部と先端部の中間位置となるように構成したので、両突出片によって取付具を経線フレームに強固に締め付けることができる。
【００１６】
請求項３及び請求項６に記載の発明によれば、止めネジで両突出片を経線フレームに締め付けたとき、突出片の先端部の尖った突起が経線フレームに食い込むので、取付具を強く経線フレームに固定できる。
【００１７】
請求項４に記載の発明によれば、一方の取付具を上側の経線フレームに固定し、他方の取付具を下側の経線フレームに固定することにより、ケーシングに格納した電装品を上下に並列する複数本の経線フレームの間に架設できる。
とりわけ、両取付具をケーシングに回転可能に組み付けたので、ケーシングに格納した電装品を上下に並列する複数本の経線フレームの間に斜めに架設できる。
また、一方の取付具を長穴に沿って摺動可能にケーシングに組み付けたので、両取付具の間隔を上下に並列する経線フレームの間隔に合わせて調整できる。
【図面の簡単な説明】
【００１８】
【図１】本発明の一実施例に係るカメラの取付具を示す背面右側から見た斜視図である。
【図２】同取付具を示す背面左側から見た斜視図である。
【図３】カメラを固定した同取付具を示す背面右側から見た斜視図である。
【図４】カメラを固定した同取付具を示す正面右側から見た斜視図である。
【図５】カメラを固定した同取付具を装着した車のフロントグリルを示す正面図である。
【図６】カメラを固定した同取付具が固定されたフロントグリルの経線フレームを示す部分拡大図である。
【図７】本発明の一実施例に係るデイライトの取付装置を示す斜視図である。
【図８】同取付装置を装着した車のフロントグリルを示す正面図である。
【図９】同取付装置の取付具を示す側面図である。
【図１０】同取付装置の取付具を示す斜視図である。
【図１１】同取付装置のケーシングを示す斜視図である。
【図１２】同取付装置のケーシングを示す正面図である。
【図１３】図７の１３−１３線から切断した断面図である。
【図１４】同取付装置を固定した経線フレームを示す部分拡大図である。
【図１５】同取付装置を経線フレームに平行に装着したフロントグリルを示す正面図である。
【図１６】同取付装置を経線フレームに斜めに装着したフロントグリルを示す正面図である。
【実施例１】
【００１９】
以下に本発明を図面に基づき説明する。図１〜図６には本発明の一実施例に係るカメラの取付具１０が示されている。当該カメラの取付具１０は、車のフロントグリル１００にカメラ１１を後付で装着するためのものであって、図２に示すように、ベース１０ａと一対の突出片１０ｂ，１０ｃがプラスチックで一体成型されている。ベース１０ａにはカメラ取付座１０ｄが形成され、カメラ取付座１０ｄの中心部に貫通穴１０ｅが形成されている。両突出片１０ｂ，１０ｃは断面が略Ｕ字形を形成するように成形されている。ベース１０ａに隣接する突出片１０ｂの内面１０ｆは内側へ湾曲するように成形されている。他方の突出片１０ｃの中央部には止めネジ１２をねじ込むためのネジ穴１０ｇが形成されている。
【００２０】
図３及び図４に示すように、カメラ１１はその背部から突出する中空のネジ軸１１ａを取付座１１ｄの貫通穴１０ｅに挿通し、カメラ１１の背部を取付座１０ｄに密着させ、貫通穴１０ｅから突出するネジ軸１１ａにナット１３を締め付けて取付座１０ｄに固定される。カメラ１１と外部のディスプレイやメモリとが中空のネジ軸１１ａを通したコード１４で接続される。
【００２１】
図５及び図６に示すように、カメラ１１を固定した取付具１０は一対の突出片１０ｂ，１０ｃでフロントグリル１００の車幅方向に延びる経線フレーム１０１の一本を挟み、ネジ穴１０ｇにねじ込んだ止めネジ１２で両突出片１０ｂ，１０ｃを経線フレーム１０１に締め付けて固定される。
【００２２】
本実施例に係るカメラの取付具１０によれば、一対の突出片１０ｂ，１０ｃでフロントグリル１００の車幅方向に延びる経線フレーム１０１を挟み、止めネジ１２で両突出片１０ｂ，１０ｃを経線フレーム１０１に締め付けて固定するので、カメラ１１を後付でフロントグリル１００に取り付けるとき、カメラ１１の取付用開口がフロントグリル１００に形成されていなくてもカメラ１１をフロントグリル１００に後付けで装着できる。
また、両突出片１０ｂ，１０ｃで一本の経線フレーム１０１を挟むことにより取付具１０を経線フレーム１０１に固定するので、上下に隣接する経線フレーム１０１の間隔の長短に拘わらず、カメラ１１をフロントグリル１００に装着できる。
【実施例２】
【００２３】
本発明の一実施例に係るデイライトの取付装置３０を図７〜図１６に示す。当該取付装置３０は車のフロントグリル１００にデイライト３１を後付で取り付けるためのものであって、２個の取付具４０と、この２個の取付具４０を底面に取り付けた細長いケーシング３２と、ケーシング３２に収納されたデイライト３１を備えている。
【００２４】
図９及び図１０に示すように、各取付具４０は、ベース４０ａと、ベース４０ａに一体に設けた上下一対の突出片４０ｂ，４０ｃから成り、断面形状が略Ｕ字形にプラスチックで成型されている。ベース４０ａの背面の中央部には凸部４０ｄが形成され、該凸部４０ｄにケーシング３２と取付具４０を連結するネジ３３がねじ込まれるネジ穴４０ｅが形成されている。下側の突出片４０ｃの中央部には止めネジ３４がねじ込まれるネジ穴４０ｆが形成されている。上側の突出片４０ｂの内面４０ｇは内側に向けて湾曲するように形成されている。この内側湾曲面４０ｇの先端部には先端が尖った突起４０ｈが形成されている。
【００２５】
図１１、図１２及び図１３に示すように、ケーシング３２の正面にはデイライト３１を嵌め込むための細長い開口３２ａが形成されている。ケーシング３２の底面３２ｂの一端に丸穴３２ｃが形成され、他端に長穴３２ｄが形成されている。なお、符号３５はデイライト３１と外部電源を接続するためケーシング３２の背面から延びるコード３５である。
【００２６】
一方の取付具４０は凸部４０ｄを丸穴３２ｃに挿通し、ネジ穴４０ｅにネジ３３をねじ込むことによりケーシング３２の底面３２ｂに回転可能に組み付けられている。他方の取付具４０は凸部４０ｄを長穴３２ｄに挿通し、ネジ穴４０ｅにネジ３３をねじ込むことによりケーシング３２の底面３２ｂに回転可能、かつ長穴３２ｄに沿って摺動可能に組み付けられている。
デイライト３１は光源として正面に３個のＬＥＤ３６が組み込まれて、ケーシング３２の開口３２ａに嵌め込まれている。
【００２７】
本実施例に係るデイライト３１の取付装置３０の構造は以上の通りであって、図１４に示すように、一対の突出片４０ｂ，４０ｃでフロントグリル１００の一本の経線フレーム１０１を挟み、止めネジ３４で両突出片４０ｂ，４０ｃを経線フレーム１０１に締め付けて固定することにより、図８及び図１５に示すように、デイライト３１が経線フレーム１０１と平行にフロントグリル１００に装着される。
【００２８】
図１４に示すように、突出片４０ｂ，４０ｃを経線フレーム１０１に止めネジ３４で締め付けて固定するとき、取付具４０の内側湾曲面４０ｇの先端部の突起４０ｈの経線フレーム１０１の一方の面との接点Ａと、内側湾曲面４０ｇの基端部と経線フレーム１０１の一方の面との接点Ｂの中間に止めネジ３４の先端部と経線フレーム１０１の他方の面との接点Ｃが位置するように、突起４０ｈ、内側湾曲面４０ｇ及びネジ穴４０ｆが配置されている。突起４０ｈ、内側湾曲面４０ｇ及びネジ穴４０ｆをこのように配置することにより、突起４０ｈの尖った先端部と止めネジ３４の先端部が経線フレーム１０１に食い込むことと相まって、取付具４０が強固に経線フレーム１０１に固定される。
【００２９】
また、図１６に示すように、一方の取付具４０を適宜回転させて上側の経線フレーム１０１に固定し、他方の取付具４０を適宜回転させて下側の経線フレーム１０１に固定することにより、デイライト３１をフロントグリル１００の上下に並列する複数本の経線フレーム１０１の間に斜めに架設できる。
その際、一方の取付具４０を長穴３２ｄに沿って摺動可能にケーシング３２に組み付けたので、両取付具４０の間隔を上下に並列する経線フレーム１０１の間隔に合わせて調整できる。
【００３０】
なお、本実施例ではデイライト３１をフロントグリル１００に平行又は斜めに装着したが、デイライト３１を垂直に装着することも可能である。
【符号の説明】
【００３１】
１０…カメラの取付具
１０ａ…ベース
１０ｂ，１０ｃ…突出片
１１…カメラ
１２…止めネジ
３０…デイライトの取付装置
３１…デイライト
３２…ケーシング
３２ｂ…底面
３２ｃ…丸穴
３２ｄ…長穴
３３…ネジ
３４…止めネジ
４０…取付具
４０ａ…ベース
４０ｂ，４０ｃ…突出片
４０ｆ…ネジ穴
４０ｈ…突起
１００…フロントグリル
１０１…経線フレーム
【図１】
2018020717.tif 000003
【図２】
2018020717.tif 000004
【図３】
2018020717.tif 000005
【図４】
2018020717.tif 000006
【図５】
2018020717.tif 000007
【図６】
2018020717.tif 000008
【図７】
2018020717.tif 000009
【図８】
2018020717.tif 000010
【図９】
2018020717.tif 000011
【図１０】
2018020717.tif 000012
【図１１】
2018020717.tif 000013
【図１２】
2018020717.tif 000014
【図１３】
2018020717.tif 000015
【図１４】
2018020717.tif 000016
【図１５】
2018020717.tif 000017
【図１６】
2018020717.tif 000018